(57)【要約】【課題】  単純構造で取り付け容易であり、入室前に点灯できるドア連動照明システムを提供し、低コストで生活環境の快適性を向上する。【解決手段】  ドア連動照明システムとして、室内照明の点灯／消灯を切替え可能に接続したプルスイッチを、ドアを備え付けるドア部に装着し、前記ドアに、前記プルスイッチの引き操作部を取り付ける取付手段を設けた。【選択図】    図６
2005174838.tif 000002
【特許請求の範囲】
【請求項１】
室内照明の点灯／消灯を切替え可能に接続したプルスイッチを、ドアを備え付けるドア部に装着し、
前記ドアに、前記プルスイッチの引き操作部を取り付ける取付手段を設けた
ドア連動照明システム。
【請求項２】
前記引き操作部を、前記取付手段との当接側に当接部を備えて形成し、
該当接部と前記取付手段とのいずれか一方を磁石で形成し、他方を磁石又は磁性体で形成した
請求項１記載のドア連動照明システム。
【請求項３】
前記引き操作部を、前記取付手段との当接側に弾性部材を備えて形成し、
前記取付手段に、上記弾性部材の端部を取り付けた
請求項１記載のドア連動照明システム。
【請求項４】
前記ドアを扉状に開く開きドアで形成し、
前記プルスイッチを、前記ドア部の上辺側に備え、
前記取付手段を、上記開きドアの上端部で前記プルスイッチの対向位置に備えた
請求項１、２又は３記載のドア連動照明システム。
【請求項５】
請求項１〜４のいずれか１つに記載のドア連動照明システムで使用する前記プルスイッチと前記取付手段で構成した
ドア連動スイッチ装置。
【発明の詳細な説明】
【技術分野】
【０００１】
この発明は、例えばトイレ等の室内の出入り口となるドアを開閉することで照明スイッチの点灯／消灯を切替えるようなドア連動照明システムに関する。
【背景技術】
【０００２】
従来、トイレ等の室内照明の点灯／消灯をドアの開閉と連動させる方法として、ドア枠の室内側上部に押しボタンスイッチを取り付け、ドアを閉めた際に該ドアの上部で押しボタンスイッチを押下し、スイッチの点灯／消灯を切替えるトイレ用自動照明入り切り装置が提案されている（特許文献１参照）。
【０００３】
また、ドア枠にドアの開閉で点灯／消灯するプッシュスイッチを備えると共に、ドアハンドルの回転により反転するラッチボルトのドア枠の係合孔に該ラッチボルトで点灯／消灯するマイクロスイッチを備えた室内点灯装置が提案されている（特許文献２参照）。
【０００４】
【特許文献１】実開平７−４１９０２号公報
【特許文献２】実開平６−７９０９８号公報
【発明の開示】
【発明が解決しようとする課題】
【０００５】
しかし、前記トイレ用自動照明入り切り装置は、トイレに入室してドアを閉めた時に点灯するため、ドアを完全に閉めるまでトイレ室内が暗く、履物を見つけづらいといった問題があった。さらに、押しボタンスイッチをドアで押すためにはドアをしっかり閉めなければならず、利用者に運動負担を強いると共に、閉める際に乱暴な音が発生してしまうという問題があった。
【０００６】
また、前記室内点灯装置は、スイッチを２つ使用するため、配線箇所が増加してコスト増となり、外観上もドア枠の両横に配線が存在して見苦しいという問題があった。
【０００７】
この発明は、上述の問題に鑑み、単純構造で取り付け容易であり、入室前に点灯できるドア連動照明システムを提供し、低コストで生活環境の快適性を向上することを目的とする。
【課題を解決するための手段】
【０００８】
この発明は、室内照明の点灯／消灯を切替え可能に接続したプルスイッチを、ドアを備え付けるドア部に装着し、前記ドアに、前記プルスイッチの引き操作部を取り付ける取付手段を設けたドア連動照明システムであることを特徴とする。
【０００９】
前記引き操作部は、前記プルスイッチの引き紐部等、スイッチの点灯／消灯操作を行う操作部で構成することを含む。  
前記取付手段は、前記引き操作部を取り付ける取り付け部、磁力によってくっつかせる取り付け部等、前記引き操作部を取り付ける手段で構成することを含む。
【００１０】
前記構成により、ドアを開くとこれに連動して室内照明の点灯／消灯を切替えることができ、入室時にＯＮ、退室時にＯＦＦとすることが可能となる。
【００１１】
この発明の態様として、前記引き操作部を、前記取付手段との当接側に当接部を備えて形成し、該当接部と前記取付手段とのいずれか一方を磁石で形成し、他方を磁石又は磁性体で形成することができる。
【００１２】
前記磁石は、フェライト磁石、サマリウムコバルト磁石、又はネオジム磁石等の磁石で構成することを含む。  
前記磁性体は、鉄、ニッケル、又はコバルトといった強磁性体等、磁石に引き付けられる部材で形成することを含む。
【００１３】
前記構成により、ドアを開く際に前記取付手段が前記引き操作部を引っ張り、開く途中でスイッチＯＮ／ＯＦＦを切替え、さらに開かれる際に磁石（又は磁性体）が外れてドアを自由に開けることが可能となる。
【００１４】
またこの発明の態様として、前記引き操作部を、前記取付手段との当接側に弾性部材を備えて形成し、前記取付手段に、上記弾性部材の端部を取り付けることができる。
【００１５】
前記弾性部材は、つるまきバネ等のバネ、又はゴム材等、弾性力を有して伸縮する部材で形成することを含む。
【００１６】
前記構成により、ドアを開く際に前記弾性部材が前記引き操作部を引っ張り、開く途中でスイッチＯＮ／ＯＦＦを切替え、さらにドアが開かれることを弾性部材の弾性力で許容して、ドアを十分に開けることが可能となる。
【００１７】
またこの発明の態様として、前記ドアを扉状に開く開きドアで形成し、前記プルスイッチを、前記ドア部の上辺側に備え、前記取付手段を、上記開きドアの上端部で前記プルスイッチの対向位置に備えることができる。
【００１８】
これにより、一般的にトイレに多い開きドアに対応させてプルスイッチを装着し、ドア連動照明システムを構成することができる。
【００１９】
またこの発明は、前記ドア連動照明システムで使用する前記プルスイッチと前記取付手段で構成したドア連動スイッチ装置とすることができる。  
これにより、ドア連動スイッチ装置を取り付けて容易にドア連動照明システムを構築することが可能となる。
【発明の効果】
【００２０】
この発明により、単純構造で取り付け容易であり、入室前に点灯できるドア連動照明システムを提供し、低コストで生活環境の快適性を向上することができる。
【発明を実施するための最良の形態】
【００２１】
この発明の一実施形態を以下図面と共に説明する。  
まず、図１に示すドア入口を正面から見た斜視図、図２に示すトイレ室内から見た斜視図、及び図３に示す側面断面図と共に、ドア連動照明システム１の構成について説明する。
【００２２】
図１は、ドア４を正面左上から見た斜視図であり、天井を切り取った断面図を示す。ドア４にはドアノブ５を備えており、ドア４の左横の壁２に手動スイッチ６を備えている。
【００２３】
また、天井には照明３０を備えている。該照明３０は、白熱球又は蛍光灯等、適宜の照明装置で構成すると良い。
【００２４】
図２はトイレの室内Ａ側からドア４の回動軸上部を見上げた状態を示し、壁２にドア枠となるカモイ３を備え、該カモイ３にドア４を枢着している。  
前記ドア４のトイレ室内Ａ側でドア回動軸近傍の上部には、円盤状のドア側磁石２０を接着等により取り付ける。
【００２５】
なお、この取り付けは、円盤状のドア側磁石２０の一平面全体をドア４に接着するなど、しっかりと取り付けることが望ましい。これにより、後に説明する引き紐１１に引っ張られる応力が、ドア側磁石２０の一端に集中してはがれやすくなることを防止できる。
【００２６】
前記カモイ３の天井面には、ドア回動軸近傍でトイレ室内Ａ側にプルスイッチ（キャノピースイッチ）１０を螺子止め等により取り付ける。  
該プルスイッチ１０は、引き紐１１を備えており、該引き紐１１の先端１１ａの輪状部に、ヒートン（取付具）１２ａの輪状部１２ｂをひっかけるように通して取り付ける。
【００２７】
ヒートン１２ａは、直径１５ｍｍ〜２０ｍｍ程度の円盤部１２ｃの中心点に上記輪状部１２ｂの一端を接続した金属部材で形成しており、該円盤部１２ｃの反対側には、該円盤部１２ｃと同程度の直径（直径１５ｍｍ〜２０ｍｍ程度）の円盤状のスイッチ側磁石１２ｄを接着している。
【００２８】
このスイッチ側磁石１２ｄ及びヒートン１２ａは、前記ドア側磁石２０の対向位置に位置させる。  
なお、ヒートン１２ａ及びスイッチ側磁石１２ｄで取付部１２を構成し、プルスイッチ１０、取付部１２、及びドア側磁石２０で、ドア連動スイッチ装置９ａを構成する。
【００２９】
以上の構成により、ドアを閉めた状態ではスイッチ側磁石１２ｄとドア側磁石２０がくっついており、ドアを開くと磁力によってドア側磁石２０がスイッチ側磁石１２ｄを引っ張り、引き紐１１を引いてプルスイッチ１０のスイッチＯＮ／ＯＦＦを切替えることができる。
【００３０】
ヒートン１２ａが引き紐１１に引っ張られる応力、すなわちプルスイッチ１０の内部に備えたバネ（弾性体）が引き紐１１を引っ張る応力は、輪状部１２ｂから円盤部１２ｃの中心部にかかるため、スイッチ側磁石１２ｄとドア側磁石２０の磁力を最も効果的に強く利用することができる。
【００３１】
従って、例えばスイッチ側磁石１２ｄの円周部に引き紐１１の先端１１ａを接続した場合に、引き紐１１から引っ張られる応力がスイッチ側磁石１２ｄの一端に集中してスイッチ側磁石１２ｄがドア側磁石２０から簡単に離れるといったように、磁石同士が本来くっつく力より弱い応力で離れてしまうことを防止できる。
【００３２】
次に、図４に示す回路図と共に、ドア連動照明システム１の回路構成について説明する。
【００３３】
電源４０と照明３０を接続する２本の電源ラインの一方には、手動スイッチ６のＯＮ／ＯＦＦ操作スイッチ６ｂを接続する。
【００３４】
該ＯＮ／ＯＦＦ操作スイッチ６ｂの両端に備えた接点Ｓ１及び接点Ｓ２には、前記ＯＮ／ＯＦＦ操作スイッチ６ｂと並列状態で、非常用スイッチ６ａ及びプルスイッチ１０を直列に接続する。
【００３５】
なお、前記非常用スイッチ６ａは通常状態でＯＮに設定しておき、プルスイッチ１０の故障時には、該非常用スイッチ６ａをＯＦＦとすることで照明３０が点灯しつづけ消灯できない事態を回避している。
【００３６】
また、前記ＯＮ／ＯＦＦ操作スイッチ６ｂは、通常ＯＦＦの状態に設定しておき、プルスイッチ１０の故障時等に照明３０のＯＮ／ＯＦＦを切替えることを可能にしている。。
【００３７】
以上の構成により、プルスイッチ１０の引き紐１１で照明３０のＯＮ／ＯＦＦを行うことができる。すなわち、非常用スイッチ６ａがＯＦＦでＯＮ／ＯＦＦ操作スイッチ６ｂがＯＮとなっている通常状態では、プルスイッチ１０の引き紐１１が引っ張られ、該引き紐１１の根元に接続したスイッチ１０ａが接点に接触してＯＮ／ＯＦＦが切り替る。
【００３８】
次に、図５〜図７に示す説明図と共に、実際にドア４を開閉してトイレに入室する際のドア４の動作、プルスイッチ１０の動作、及び照明３０の動作について説明する。
【００３９】
利用者は、まず図５の（Ａ）に示す用にドア４の前に立つ。このとき、プルスイッチ１０は図６の（Ｆ）に示すように引き紐１１がまったく引っ張られず、スイッチ側磁石１２ｄとドア側磁石２０がくっついた状態となり、照明３０は消灯している。
【００４０】
利用者が（Ｂ）に示すようにドア４を少し開けると、（Ｇ）に示すようにドア４の開動作に連動して引き紐１１が引っ張られる。このときの引っ張る力は、スイッチ側磁石１２ｄとドア側磁石２０の磁力によるくっつく力より弱いため、スイッチ側磁石１２ｄはドア側磁石２０にくっついたままである。
【００４１】
またこのとき、プルスイッチ１０のスイッチをＯＮ／ＯＦＦするスイッチ操作実行角度（例えば２０〜４０度程度の角度）までドア４の開き角度αが開いていないため、照明３０は消灯したままである。
【００４２】
利用者が（Ｃ）に示すようにドア４を徐々に開けると、その回動途中（開動作中）でドア４の開き角度αがスイッチ操作実行角度βに達し、プルスイッチ１０のスイッチ動作を実行してＯＦＦからＯＮに切替え、照明３０を点灯させる。
【００４３】
開き角度αがスイッチ操作実行角度βを超えるとき、引き紐１１の引出し可能長も超えるため、図６の（Ｈ）に示すように、利用者がドア４を開ける力でスイッチ側磁石１２ｄがドア側磁石２０から離れてドア４が開放される。
【００４４】
利用者は（Ｄ）に示すように照明３０が点灯したトイレ内に入室してドア４を閉めていき、（Ｅ）に示すようにドア４を完全に閉めて入室が完了する。ドア４を閉めると、スイッチ側磁石１２ｄとドア側磁石２０が近づくため、互いの磁力によってスイッチ側磁石１２ｄとドア側磁石２０がくっつき、図６の（Ｆ）に示した初期状態に自然に戻る。
【００４５】
スイッチ側磁石１２ｄとドア側磁石２０とは互いの異極（Ｎ極に対してならＳ極、Ｓ極に対してならＮ極）がくっつくため、スイッチ側磁石１２ｄが初期状態と反対向きにくっくということも発生せず、常に一定面がくっつくこととなる。
【００４６】
退室時は図７に示すように、前述した入室時と同様の動作を実行し、照明３０がＯＮからＯＦＦに切り替る。すなわち、図中の（Ｉ）は図５の（Ａ）に対応し、同様に、（Ｊ）は図５の（Ｂ）に、（Ｋ）は図５の（Ｃ）に、（Ｌ）は図５の（Ｄ）に、（Ｍ）は図５の（Ｅ）に、それぞれ対応する。
【００４７】
動作についても、プルスイッチ１０がスイッチＯＮとなって照明３０が点灯している状態から開始し、（Ｋ）の段階でスイッチＯＦＦに切替えて照明３０が消灯すること以外は、前述した入室動作と同一であるため、同一要素に同一符号を付してその詳細な説明を省略する。
【００４８】
以上の構成及び動作により、利用者の入室時に照明３０がドア４に連動して点灯し、退室時にはドア４に連動して消灯する自動照明を実現することができる。  
ドア連動照明システム１は構造が簡単であるため施工も容易であり、また各機器（手動スイッチ６、プルスイッチ１０、スイッチ側磁石１２ｄ、及びドア側磁石２０）も安価であるため、短工期で低価格に設置することができる。
【００４９】
ドア４を開いている途中で照明３０の点灯と消灯を切替えるため、入室時には入室前に点灯し、退室時には退室途中（例えば半歩踏み出そうとしている間等）に消灯することとなり、入室時と退室時のいずれにおいても必要な照明を確保することができる。
【００５０】
プルスイッチ１０の取付位置、及びドア側磁石２０の取付位置は、ドア４の上辺の中央より回動軸側であり、回動軸に近い位置で固定しているため、てこの原理によって、利用者は少ない力でドア連動スイッチ装置９ａを動作させることができる。
【００５１】
スイッチ機構としてプルスイッチ１０を使用するため丈夫であり、スイッチ側磁石１２ｄがドア側磁石２０から離れることによって必要以上に引き紐１１を引くことが無く、長期間に渡って故障無く利用することができる。
【００５２】
仮に故障した場合であっても、非常用スイッチ６ａをＯＦＦに切替え、ＯＮ／ＯＦＦ操作スイッチ６ｂにより手動で照明３０の点灯と消灯を切替えることができる。
【００５３】
なお、前記スイッチ側磁石１２ｄとドア側磁石２０の両方又は一方を、布部材等の緩衝部材で被覆する構成としても良い。この場合は、ドア４を閉めてスイッチ側磁石１２ｄとドア側磁石２０がくっつく際に、緩衝部材によって磁石同士のくっつく音を吸収することができる。
【００５４】
また、ヒートン１２ａにはスイッチ側磁石１２ｄを接着せず、鉄板である円盤部１２ｃをドア側磁石２０の磁力で該ドア側磁石２０にくっつけさせる構成としても良い。これにより、磁石を１つとして構成をより簡単にすることができる。
【００５５】
次に、第２の実施形態について、図８に示す説明図と共に説明する。この実施形態は、磁石に替えてバネやゴム等の弾性体を利用する。  
ドア４には前述したドア側磁石２０の位置に取付具２１を接着し、該取付具２１と引き紐１１の先端にバネ１３を架設する。
【００５６】
これにより、（Ｎ）に示すドア４を閉めた状態から開く際に、（Ｏ）に示すようにバネ１３が所定の長さまで伸びると、バネ１３の弾性力でプルスイッチ１０のＯＮ／ＯＦＦを切替え、（Ｐ）に示すようにさらにドア４を開くという動作が実行できる。
【００５７】
なお、プルスイッチ１０、バネ１３、及び取付具２１で、ドア連動スイッチ装置９ｂを構成する。  
他の構成及び動作については、前述した実施形態と同一であるので、同一要素に同一符号を付して詳細な説明を省略する。
【００５８】
次に、第３の実施形態について、図９に示す説明図と共に説明する。この実施形態は、開き扉タイプのドア４に替えて、引き戸タイプの引き戸７を使用する。
【００５９】
この実施形態では、（Ｑ）に示す室内Ａ側から見た一部断面図に示すように、ドア枠８に引き戸７を備えている。
【００６０】
ドア枠８の丈夫には、プルスイッチ１０を装着し、該プルスイッチ１０の引き紐１１の先端には、スイッチ側磁石１２ｄを先端に備えた操作棒１４を取り付ける。
【００６１】
また、プルスイッチ１０の引き紐１１の引出し口１０ｂには、前記操作棒１４を一方向へ移動可能にガイドするガイド筒１５を螺着により装着する。
【００６２】
引き戸７の上部には、左側面視コ字型の係止部材２２を螺着により装着し、該係止部材２２の上部には、前記スイッチ側磁石１２ｄに対向させてドア側磁石２０を接着により装着する。
【００６３】
なお、プルスイッチ１０、スイッチ側磁石１２ｄ、操作棒１４、ガイド筒１５、ドア側磁石２０、及び係止部材２２で、ドア連動スイッチ装置９ｃを構成する。  
動作について説明すると、初期状態では、（Ｑ）に示すようにスイッチ側磁石１２ｄとドア側磁石２０がくっつき、操作棒１４がガイド筒１５の中に収納された状態となっている。
【００６４】
利用者が引き戸７を開けていくと、（Ｒ）に示すようにスイッチ側磁石１２ｄとドア側磁石２０がくっついたまま操作棒１４をガイド筒１５から引出し、操作棒１４に連結した引き紐１１を引っ張ってプルスイッチ１０のスイッチのＯＮ／ＯＦＦを開動作中に切替える。
【００６５】
さらに引き戸７を開けると、スイッチ側磁石１２ｄからドア側磁石２０が離れ、引き戸７が開放されて自由に開くこととなる。
【００６６】
これにより、引き戸タイプのドアであってもドア連動照明システム１を構築することができる。スイッチ側磁石１２ｄは、該スイッチ側磁石１２ｄを装着した操作棒１４がガイド筒１５でガイドされることによって、不安定にぶら下がるといったことがなく、安定した動作を行うことができる。
【００６７】
他の構成及び動作については、前述した実施形態と同一であるので、同一要素に同一符号を付して詳細な説明を省略する。
【００６８】
なお、前記ドア連動スイッチ装置９ｃは、引き戸７ではなく開き扉タイプのドア４に利用してもよい。  
また、前記ドア連動スイッチ装置９ｃに替えて、前述した第１、第２実施形態のドア連動スイッチ装置９ａ，９ｂを引き戸７に利用しても良い。
【００６９】
次に、第４の実施形態として、手動スイッチ６を別タイプのスイッチとした場合について、図１０の回路図と共に説明する。
【００７０】
この場合は、前述した手動スイッチ６の替わりに一般スイッチ１６を使用する。該一般スイッチ１６は、一般家庭でトイレ等の室内灯のＯＮ／ＯＦＦスイッチとしてよく使われているものであり、手動によって照明３０のＯＮ／ＯＦＦを切替える手動スイッチ部１６ａを備えている。また、該手動スイッチ部１６ａと並列に他の装置を接続可能な接点Ｓ３，Ｓ４を備えている。
【００７１】
接点Ｓ３には、プルスイッチ１０の一端側の接続線を接続し、接点Ｓ４には、プルスイッチ１０の他端側の接続線を接続する。
【００７２】
これにより、既に建てられている建築物に対しても、余っている接点Ｓ３，Ｓ４に接続してプルスイッチ１０を配線することができ、容易にドア連動スイッチ装置９（９ａ，９ｂ，９ｃ）を取り付けることができる。
【００７３】
他の構成及び動作については、前述した実施形態と同一であるので、同一要素に同一符号を付して詳細な説明を省略する。
【００７４】
なお、以上に説明した各実施形態のドア連動照明システム１は、設置場所はトイレに限られず、倉庫や個室等、入室時に点灯して退室時に消灯することが有効な空間に利用することができる。
【００７５】
この発明の構成と、上述の実施形態との対応において、
この発明の開きドアは、実施形態のドア４に対応し、
以下同様に、
ドア部は、カモイ３及びドア枠８に対応し、
ドアは、ドア４及び引き戸７に対応し、
引き操作部は、引き紐１１、スイッチ側磁石１２ｄ、バネ１３、及び操作棒１４に対応し、
当接部は、スイッチ側磁石１２ｄに対応し、
磁石は、スイッチ側磁石１２ｄ及びドア側磁石２０に対応し、
弾性部材は、バネ１３に対応し、
取付手段は、ドア側磁石２０、取付具２１、及び係止部材２２に対応し、
室内照明は、照明３０に対応するも、
この発明は、上述の実施形態の構成のみに限定されるものではなく、多くの実施の形態を得ることができる。
【図面の簡単な説明】
【００７６】
【図１】ドア入口を正面から見た斜視図。
【図２】ドア連動スイッチ装置をトイレ室内から見た斜視図。
【図３】ドア連動スイッチ装置の側面断面図。
【図４】ドア連動照明システムの回路図。
【図５】ドアの開動作の説明図。
【図６】ドア連動スイッチ装置の動作説明図。
【図７】ドアの閉動作の説明図。
【図８】第２実施形態の説明図。
【図９】第３実施形態の説明図。
【図１０】第４実施形態の説明図。
【符号の説明】
【００７７】
１…ドア連動照明システム
３…カモイ
４…ドア
７…引き戸
８…ドア枠
９…ドア連動スイッチ装置
１０…プルスイッチ
１１…引き紐
１２ｄ…スイッチ側磁石
１３…バネ
１４…操作棒
２０…ドア側磁石
２１…取付具
２２…係止部材
３０…照明
【図１】
2005174838.tif 000003
【図２】
2005174838.tif 000004
【図３】
2005174838.tif 000005
【図４】
2005174838.tif 000006
【図５】
2005174838.tif 000007
【図６】
2005174838.tif 000008
【図７】
2005174838.tif 000009
【図８】
2005174838.tif 000010
【図９】
2005174838.tif 000011
【図１０】
2005174838.tif 000012